【事件の表示】
　平成　４年特許願第３１５７２２号「除電刷子」拒絶査定不服審判事件〔平成　６年　５月３１日出願公開、特開平　６−１５１０８７号〕について、次のとおり審決する。
【結　論】
　本件審判の請求は、成り立たない。
【理　由】
１．手続の経緯・本願発明
　本願は、平成４年１０月３０日の出願であって、その請求項１に係る発明は、明細書及び図面の記載からみて、特許請求の範囲の請求項１に記載されたとおりのものと認められるところ、その請求項１に記載された発明（以下、「本願発明」という。）は次のとおりである。
　「２００ｋｇ／ｍｍ２以上の強度を有するステンレス繊維からなるより線を放電電極とし、そのより線のより長さ並びにより線を構成するストランドのより長さが素線（ステンレス繊維）直径の３０倍以上であり、かつそのより線を導電性固定台に固定したことを特徴とする除電刷子。」
　
２．引用例
　これに対して、当審における、平成１８年４月１８日付けで通知した拒絶の理由に引用した特開昭５３−１４９７９５号公報（以下、「引用例１」という。）、実願昭６３−５００４０号（実開平１−１５２５００号）のマイクロフィルム（以下、「引用例２」という。）及び実願昭５９−２６５７８号（実開昭６０−１３８３６６号）のマイクロフィルム（以下、「引用例３」という。）にはそれぞれ以下の事項が記載されている。
（１）引用例１の記載事項
（ａ）「１本の直径５μ〜５０μのステンレス繊維５０本〜１０００本を、撚り回数ｎ回とステンレス繊維の長さｌｃｍとの間に、０．１ｌ≦ｎ≦３ｌの関係を満足するように撚り状に収束してなる電極複数を隣合う電極中心間に５０ｍｍ以内の距離をあけて各々その基部において支持枠に垂直に固定し、該基部に連続する電極の中間部および該中間部に更に連続する電極の先端部において撚りを解除することにより前記支持枠から突出した電極を前記中間部において支持枠から垂直に延びた形状に構成し、かつ該先端部において各ステンレス繊維が相互に離隔して箒状に開いた形状に構成し、前記中間部と先端部とからなる電極の有効長さを５ｍｍ以上とし、各々の電極を電気的に連結することを特徴とする除電装置の製造法。」（特許請求の範囲（２）） 
（ｂ）「 支持枠（２）はアルミニウム、ステンレス等の金属製あるいはポリ塩化ビニル樹脂、ポリエステル樹脂あるいはこれらの樹脂に導電性粒子を混入してなる導電性樹脂等の合成樹脂製、あるいは木製等でなる。電極（１）は、この支持枠（２）に基部を固定されるが、この固定の仕方は、例えば、左（２Ａ）右（２Ｂ）２個で１対となつた支持枠（２）のその左（２Ａ）右（２Ｂ）の間に挟持させ、その上、必要により接着剤等で接着固定する手段でもよいし、支持枠（２）の片側から開けられた孔に電極（１）の基部を埋め、接着剤等で固定してもよい。」（３頁左上欄４〜１４行） 
（ｃ）「撚り状のステンレス繊維束からなる電極材料を、基部（１Ａ）において支持枠（２）に垂直に固定し、中間部（１Ｂ）および先端部（１Ｃ）を固定することなしに自然のままに放置することにより撚りを解除すると、該中間部（１Ｂ）は、支持枠（２）から垂直方向に延びた形状となり、先端部（１Ｃ）は撚りぐせが残つているため、各繊維の先端部は折曲し、各繊維相互の間隔が離隔して、先端部（１Ｃ）は箒状に開いた形状となる。」（３頁左上欄１８行〜同頁右上欄５行） 
（ｄ）「実質的に帯電物体（Ｍ）に近接又は接触する先端部（１Ｃ）においては、ステンレス繊維が箒状に開いているので、各ステンレス繊維の先端は均一的に配されるから、良好な不平等電界を構成でき、また帯電物体（Ｍ）にむらなく接触することができるので除電効率がよい。」（４頁左上欄１〜６行） 
　これらの記載によれば、引用例１には、  
「撚り状のステンレス繊維束を電極（１）とし、その撚り線は１本の直径５μ〜５０μのステンレス繊維５０本〜１０００本を、撚り回数ｎ回とステンレス繊維の長さｌｃｍとの間に、０．１ｌ≦ｎ≦３ｌの関係を満足するように撚り状に収束したものであり、かつその撚り線を金属製支持枠（２）に固定した除電装置」の発明（以下、「引用発明」という。）が記載されていると認められる。  
　そして、この引用発明は撚り回数と繊維の長さの関係を特定することにより、電極の自由端を箒状に開くようにして除電効果を高めるものである。  
　　 
（２）引用例２の記載事項
　「本実施例の除電器は第１図々示のようにアルミニウム板などの導電板が二つ折りされた支持板１１と、上端部が支持板１１に挟持されて支持板１１の長手方向に沿って垂下された多数の電極１２とからなっている。除電器は電極１２の下端部が機器の静電気帯電部位に近接するように機器内の所定位置に固定されて除電を行う。
　ここで電極１２としては、アモルファス金属繊維の細線を束ねたものが使用される。アモルファス金属繊維は繊維としての引張強度が強いと共に、良好な耐疲労性を有している。この機械的強度によりアモルファス金属繊維が切れたり、抜けたりすることなく、電極１２から脱落することがない。従って、機器内の回路に侵入して、回路の短絡故障の原因となることがない。」（明細書３頁８行〜４頁３行）
　
（３）引用例３の記載事項
（ａ）「導電繊維をより線又は袋編線に構成した集束体の一端を導電性粉末で一体成形した保持具を設けてなる摺動刷子。」（実用新案登録請求の範囲）
（ｂ）「集束体としてのより線は公知の軟銅より線等と同様に、多数の導電繊維を一まとめにして（たとえば１００本）同一方向により合せた（集合よりという）を複数束（例えば７束）を更により合せた（複合よりという）ものでよく、袋編線も公知の軟銅袋編線等と同様に、上記集合より品を芯線にしてその周囲に他の導電繊維の複数束を丸く筒状に編んだものでよい。」（３頁５〜１３行）
　
３．対比
　そこで、本願発明と引用発明を対比すると、後者の「撚り状のステンレス繊維束」が、その機能・構造からみて前者の「ステンレス繊維からなるより線」に相当し、同様に「電極（１）」が「放電電極」に、「金属製支持枠（２）」が「導電性固定台」に、「除電装置」が「除電刷子」に、それぞれ相当するから、両者は、
　「ステンレス繊維からなるより線を放電電極とし、そのより線を導電性固定台に固定した除電刷子。」
の点で一致し、以下の点で相違している。 
　
 （相違点１）  
　本願発明ではステンレス繊維を２００ｋｇ／ｍｍ２以上の強度を有するものとしているのに対し、引用発明ではそのような特定がされていない点。
　
 （相違点２）  
　本願発明はより線のより長さ並びにより線を構成するストランドのより長さが素線（ステンレス繊維）直径の３０倍以上となっているのに対し、引用発明は撚り線は１本の直径５μ〜５０μのステンレス繊維５０本〜１０００本を、撚り回数ｎ回とステンレス繊維の長さｌｃｍとの間に、０．１ｌ≦ｎ≦３ｌの関係を満足するように撚り状に収束したものである点。  
 　  
４．当審の判断  
　上記相違点について検討する。  
（相違点１について）  
　引用例２に除電電極として機械的強度が強いアモルファス金属繊維を用いることが記載されているように、放電電極に機械的強度が強い金属繊維を用いることは、特別な技術的課題ではなく、また、２００ｋｇ／ｍｍ２以上の強度を有するステンレス繊維とすることにより作用効果が顕著であるとも作用効果に臨界的意義があるともいえず、かつ、強度が２００ｋｇ／ｍｍ２以上のステンレス繊維が特別なステンレス繊維であるともいえない（特開昭６２−１３８５３７号公報参照。）ことから、ステンレス繊維として２００ｋｇ／ｍｍ２以上の強度を有するものを採用することは、当業者が設計事項として容易に想到し得たことである。 
　
（相違点２について）  
　放電電極を、素線をより合せたストランドを更により合せたより線で形成することは引用例３に記載されているように、電極のより線の形状として特別な形状でない。
　ところで、引用発明は電極の自由端を箒状に開くようにして除電効率を高めるために、繊維の径、より本数、撚り回数及び繊維の長さの関係を、「撚り線は１本の直径５μ〜５０μのステンレス繊維５０本〜１０００本を、撚り回数ｎ回とステンレス繊維の長さｌｃｍとの間に、０．１ｌ≦ｎ≦３ｌの関係を満足する」ものと特定したものであるが、引用発明の特定においてより長さと素線の直径の倍数が最も小さい場合を仮定（最も太い繊維（５０μ）で、有効長さが最も短く（５ｍｍ）、最もより長さが短い（より数が多い：３回）としたもの）しても、より長さが素線の直径の３３倍（（５ｍｍ／３回）／５０μ＝３３倍）となるものであって、本願発明で特定しているより線のより長さと素線の直径の関係を満足するものである。そして、本願発明の相違点２の構成による作用効果は引用発明の作用効果と異なるものではなく、また本願発明の数値限定に臨界的意義があるものともいえないことから、放電電極を引用例３に記載されたような素線をより合せたストランドを更により合せたより線とし、より線のより長さ並びにより線を構成するストランドのより長さが素線直径の３０倍以上とすることは引用発明及び引用例３に基づいて当業者が容易に想到し得たことである。
　
　そして、本願発明の作用効果は引用発明及び引用例２、引用例３に記載された発明から予測される範囲のものにすぎない。 
　
５．むすび 
　したがって、本願発明は、引用発明及び引用例２、引用例３に記載された発明に基いて当業者が容易に発明をすることができたものであるので、特許法第２９条第２項の規定により、特許を受けることができない。 
　よって、結論のとおり審決する。